(57)【要約】【課題】操作入力装置のボタンに対応する機能の名称および属性の現在値を一覧し容易に把握でき、ユーザによる操作入力が容易である入出力装置を提供する。【解決手段】リモコン６０からの操作入力を受信する受信部３２と、操作入力に基づいてメニューを表示部５６に表示させるメニュー表示部２０と、操作入力に基づいて映像表示部５４を操作する操作信号を送信する送信部４８とを備えた入出力装置１０であって、メニュー表示部２０は、リモコン６０上のボタンに対応する機能を識別するために文字または図形で示されたラベルをラベル表示領域に表示するラベル表示部２２と、ラベルに対応する機能の名称を名称表示領域に表示する名称表示部２４と、ラベルに対応する機能の属性の現在値を属性表示領域に表示する属性表示部２６と、同一の機能に属するラベル表示領域と名称表示領域と属性表示領域とを対応づけて表示する対応表示部２８とを備える。【選択図】図１
2007300438.tif 000002
【特許請求の範囲】
【請求項１】
操作入力装置からの操作入力を受信する受信手段と、前記操作入力に基づいてメニューを表示装置に表示させるメニュー表示手段と、前記操作入力に基づいて電子機器を操作する操作信号を送信する送信手段とを備えた入出力装置であって、
前記メニュー表示手段は、
前記操作入力装置上のボタンに対応する機能を識別するために文字または図形で示されたラベルをラベル表示領域に表示するラベル表示手段と、
前記ラベルに対応する機能の名称を名称表示領域に表示する名称表示手段と、
前記ラベルに対応する機能の属性の現在値を属性表示領域に表示する属性表示手段と、
同一の機能に属する前記ラベル表示領域と、前記名称表示領域と、前記属性表示領域とを対応づけて表示する対応表示手段とを備えることを特徴とする入出力装置。
【請求項２】
前記メニュー表示手段は、同一の機能に属する前記ラベル表示領域と、前記名称表示領域と、前記属性表示領域とを対応づけて機能メニューとし、２つ以上の機能メニューを並べて表示装置に表示させることを特徴とする請求項１に記載の入出力装置。
【請求項３】
前記操作入力装置上のボタンが押された場合、受信した前記操作入力から押されたボタンを識別し、当該ボタンに対応する前記機能メニューが選択されたと判断する入力処理手段をさらに備えることを特徴とする請求項２に記載の入出力装置。
【請求項４】
前記メニュー表示手段は、非選択状態の前記機能メニューに含まれる属性表示領域を非表示状態とし、前記機能メニューが選択状態になった場合、当該機能メニューに含まれる属性表示領域を表示状態とすることを特徴とする請求項３に記載の入出力装置。
【請求項５】
前記メニュー表示手段は、前記機能の解説を解説表示領域に表示する解説表示手段をさらに備えることを特徴とする請求項１に記載の入出力装置。
【請求項６】
前記メニュー表示手段は、前記機能の解説を解説表示領域に表示する解説表示手段をさらに備え、前記機能メニューが選択状態となった場合、当該機能メニューに対応する機能の解説を前記解説表示領域に表示することを特徴とする請求項３に記載の入出力装置。
【請求項７】
前記メニュー表示手段は、前記機能メニューが選択状態となった場合、当該機能メニューを強調して表示することを特徴とする請求項３に記載の入出力装置。
【請求項８】
前記送信手段は、前記機能メニューが選択状態となった場合、当該機能メニューに対応する機能を実行させる操作信号を前記電子機器へ送信することを特徴とする請求項３に記載の入出力装置。
【請求項９】
前記送信手段は、選択状態にある前記機能メニューに対応する前記操作入力装置上のボタンがさらに押された場合、当該機能メニューに対応する機能を実行させる操作信号を前記電子機器へ送信することを特徴とする請求項３に記載の入出力装置。
【請求項１０】
前記送信手段は、前記機能メニューが選択状態で前記操作入力装置上のメニューキーが押された場合、選択状態の当該機能メニューに対応する機能を実行する操作信号を前記電子機器へ出力することを特徴とする請求項３に記載の入出力装置。
【請求項１１】
前記メニュー表示手段は、前記機能メニューが選択状態で前記操作入力装置上のメニューキーが押された場合、当該機能メニューとは別の機能メニューを選択状態とすることを特徴とする請求項３に記載の入出力装置。
【請求項１２】
前記機能メニューに対応する属性の値を順にリストとして記憶する記憶手段をさらに備え、
前記メニュー表示手段は、選択状態の前記機能メニューに対応する前記操作入力装置上のボタンが押された場合、前記記憶手段上のリストを参照し、当該機能メニューに対応する属性の値のうち、次の属性の値を前記属性表示領域に表示させ、
前記送信手段は、当該次の属性の値を設定する操作信号を前記電子機器に送信することを特徴とする請求項３に記載の入出力装置。
【請求項１３】
前記電子機器から入力される識別信号を識別する信号識別手段をさらに備え、
前記メニュー表示手段は、前記信号識別手段で識別された前記識別信号に基づいて前記記憶手段上のリストから対応する属性の値を取得し、対応する前記機能メニューの属性表示領域に表示させることを特徴とする請求項１１に記載の入出力装置。
【請求項１４】
請求項１から１３に記載の入出力装置と、
映像表示装置を操作するためのユーザの操作入力を受け付けて、前記入出力装置に操作信号を送信する操作入力装置と、
前記操作信号に基づいて映像および／またはメニューを表示する映像表示装置とを備える映像表示システム。
【請求項１５】
操作入力装置からの操作入力を受信し、前記操作入力に基づいてメニューを表示装置に表示させ、前記操作入力に基づいて電子機器を操作する操作信号を送信する入出力装置における入出力制御方法であって、
前記操作入力装置上のボタンに対応する機能を識別するために文字または図形で示されたラベルをラベル表示領域に表示するステップと、
前記ラベルに対応する機能の名称を名称表示領域に表示するステップと、
前記ラベルに対応する機能の属性の現在値を属性表示領域に表示するステップと、
同一の機能に属する前記ラベル表示領域と、前記名称表示領域と、前記属性表示領域とを対応づけて表示するステップとを備えることを特徴とする入出力制御方法。
【請求項１６】
請求項１から１４に記載の入出力装置を動作させるための入出力制御プログラムであって、コンピュータを前記の各手段として機能させるための入出力制御プログラム。
【請求項１７】
請求項１６に記載の入出力制御プログラムが記録されたコンピュータ読み取り可能な記録媒体。
【発明の詳細な説明】
【技術分野】
【０００１】
本発明は、操作入力に基づいて画像を出力し、操作信号を送信する入出力装置、映像表示システム、入出力制御方法、入出力制御プログラム、および、記録媒体に関するものである。特に、操作入力装置の操作入力を受信してメニュー画面を表示し、電子機器を操作するための操作信号を電子機器に送信する入出力装置、映像表示システム、入出力制御方法、入出力制御プログラム、および、記録媒体に関するものである。
【背景技術】
【０００２】
テレビに代表されるデジタル機器において、離れた場所から電子機器を操作するためのリモートコントローラ（以下、リモコン）が操作入力装置として用いられている。ユーザは、リモコン上のボタンを操作することによって、機器に対する様々な設定や調整などの入力操作を行うことができる。近時、電子機器の高機能化に伴ってリモコンで操作する対象の機能も増加し、それに伴いリモコンのボタン数も多くなるという課題が生じている。
【０００３】
従来のリモコンでは、リモコンにカーソル移動キーおよび決定キーを配置し、テレビの画面上に表示したメニューからカーソル移動キーで設定したい機能にカーソルを移動し、決定キーで目的の機能を実行させている。しかしながら、上記のようなリモコンでは、リモコンにカーソル移動キーと決定キーが必要であり、ボタン数を増やしているという課題が生じる。
【０００４】
上記のような課題を解決するために、特許文献１では、カーソル移動キーおよび決定キーの代わりに、１〜１２の数字ボタンを用いて機能を選択する表示再生装置が開示されている。
【特許文献１】特開２００４−２００８６６号公報（２００４年７月１５日公開）
【発明の開示】
【発明が解決しようとする課題】
【０００５】
しかしながら、上記の方法では、各機能の現在の設定が分からず、設定の変更方法が複雑であるという問題を生じる。
【０００６】
具体的には、特許文献１に記載の技術では、ポータルメニューから１つの機能を実行すると、続けて別の機能を実行することができない。また、特許文献１に記載の技術では、別の機能を実行するのに、階層構造のため、戻るキーなどの入力で前の階層に戻るか、再びポータルメニュー起動キーを押して機能を選択しなおす必要がある。また、特許文献１に記載の技術では、機能を実行する前に現在の機能の設定を知ることができない。
【０００７】
本発明は、上記の問題点を解決するためになされたもので、その目的は、設定の変更が容易である入出力装置、映像表示システム、入出力制御方法、入出力制御プログラム、および記憶媒体を提供することにある。
【課題を解決するための手段】
【０００８】
本発明の入出力装置は、上記の問題を解決するために、操作入力装置からの操作入力を受信する受信手段と、前記操作入力に基づいてメニューを表示装置に表示させるメニュー表示手段と、前記操作入力に基づいて電子機器を操作する操作信号を送信する送信手段とを備えた入出力装置であって、前記メニュー表示手段は、前記操作入力装置上のボタンに対応する機能を識別するために文字または図形で示されたラベルをラベル表示領域に表示するラベル表示手段と、前記ラベルに対応する機能の名称を名称表示領域に表示する名称表示手段と、前記ラベルに対応する機能の属性の現在値を属性表示領域に表示する属性表示手段と、同一の機能に属する前記ラベル表示領域と、前記名称表示領域と、前記属性表示領域とを対応づけて表示する対応表示手段とを備えることを特徴としている。
【０００９】
上記の構成によれば、ユーザが操作入力装置から操作入力を行い、操作入力に応じてメニューを表示装置に表示し、ユーザが表示されたメニューを参照しさらに操作入力行い、操作入力に基づいて電子機器を操作する操作信号を送信する構成において、操作入力装置上のボタンに対応するラベルと、ラベルに対応する機能の名称と、ラベルに対応する機能の属性の現在値とが同一の機能に属しているもの同士で対応付けられて表示される。これにより、ユーザは操作入力装置のボタンに対応する機能の名称および属性の現在値を一覧し容易に把握することができるので、ユーザによる操作入力が容易である入出力装置を提供することができる。
【００１０】
上記の入出力装置では、前記メニュー表示手段は、同一の機能に属する前記ラベル表示領域と、前記名称表示領域と、前記属性表示領域とを対応づけて機能メニューとし、２つ以上の機能メニューを並べて表示装置に表示させることを特徴としている。
【００１１】
上記の構成によれば、ラベルと、名称と、属性とを機能メニューとして対応付け、同一の機能に属する表示領域を対応付けた上で並べて表示するので、ユーザは複数の機能を一覧し容易に各機能の属性の現在値を把握した上で、所望の属性を変更する操作を行うことができる。
【００１２】
上記の入出力装置では、前記操作入力装置上のボタンが押された場合、受信した前記操作入力から押されたボタンを識別し、当該ボタンに対応する前記機能メニューが選択されたと判断する入力処理手段をさらに備えることを特徴としている。
【００１３】
上記の構成によれば、操作入力装置上のボタンへの入力から選択された機能を識別し、選択に応じて画面表示や操作信号の送信などの各種処理を行うことができる。
【００１４】
前記メニュー表示手段は、非選択状態の前記機能メニューに含まれる属性表示領域を非表示状態とし、前記機能メニューが選択状態になった場合、当該機能メニューに含まれる属性表示領域を表示状態とすることを特徴としている。
【００１５】
上記の構成によれば、非選択状態の機能メニューに含まれる属性表示領域を表示しないため、必要のない属性表示領域を隠すことができるので、機能メニューの一覧性が高まり、ユーザが機能の選択を行うことを容易にすることができる。
【００１６】
前記メニュー表示手段は、前記機能メニューの解説を解説表示領域に表示する解説表示手段をさらに備えることを特徴としている。
【００１７】
上記の構成によれば、状況に応じて機能メニューの解説を表示する領域を確保しているので、機能の詳細を解説することができるので、ユーザに分かりやすい入力インタフェースを提供することができる。
【００１８】
なお、解説表示領域は、メニューの一部として表示装置上に表示させてもよいし、入出力装置、映像表示装置、または、操作入力装置に表示領域を配置してもよい。ユーザが操作入力装置のボタンを押した際に解説を確認することができれば、システムのどの部分に配置してもよい。
【００１９】
前記メニュー表示手段は、前記機能メニューが選択状態となった場合、当該機能メニューに対応する解説を前記解説表示領域に表示することを特徴としている。
【００２０】
上記の構成によれば、ユーザが機能メニューを選択した際に、対応する解説を表示するので、ユーザは解説を参考にして操作入力装置の操作を決定することができるので、ユーザの操作入力を手助けすることができる。
【００２１】
前記メニュー表示手段は、前記機能メニューが選択状態となった場合、当該機能メニューを強調して表示することを特徴としている。
【００２２】
上記の構成によれば、選択状態となった機能メニューが対応付けられた状態で強調表示するので、当該機能メニューが選択されていること、および、当該機能メニュー内の各項目が関連していることをより明確にユーザに示すことができるので、ユーザは操作入力を行う際に機能メニューの認識を容易に行うことができる。
【００２３】
前記送信手段は、前記機能メニューが選択状態となった場合、当該機能メニューに対応する機能を実行させる操作信号を前記電子機器へ送信することを特徴している。
【００２４】
上記の構成によれば、機能メニューが選択状態になった場合、すぐに当該機能メニューを実行するための操作信号を送信するので、すばやく操作を実行することができる操作入力をユーザに提供することができる。
【００２５】
前記送信手段は、選択状態にある前記機能メニューに対応する前記操作入力装置上のボタンがさらに押された場合、当該機能メニューに対応する機能を実行させる操作信号を前記電子機器へ送信することを特徴としている。
【００２６】
上記の構成によれば、同じ機能が割り当てられた操作入力装置上のボタンを２回以上連続して押すことによって、当該ボタンに割り当てられた機能を実行する操作信号を送信するので、ユーザは割り当てられた機能の選択と実行とを簡易な操作で行うことができる。
【００２７】
前記送信手段は、前記機能メニューが選択状態で前記操作入力装置上のメニューキーが押された場合、選択状態の当該機能メニューに対応する機能を実行する操作信号を前記電子機器へ出力することを特徴としている。
【００２８】
上記の構成によれば、機能が割り当てられたボタンを押すことによって機能を選択し、メニューキーを押すことによって機能を決定するので、選択操作および決定操作を別の入力を用いて行うので、ユーザは選択操作および決定操作を明確に区別することができる。
【００２９】
前記メニュー表示手段は、前記機能メニューが選択状態で前記操作入力装置上のメニューキーが押された場合、当該機能メニューとは別の機能メニューを選択状態とすることを特徴としている。
【００３０】
上記の構成によれば、メニューキーを押すごとに別の機能メニューを選択状態とするので、ユーザはメニューキーを繰り返し押すことで所望の機能を選択できるので、少ない動作で機能の選択を行うことができる。
【００３１】
前記機能メニューに対応する属性の値を順にリストとして記憶する記憶手段をさらに備え、前記メニュー表示手段は、選択状態の前記機能メニューに対応する前記操作入力装置上のボタンが押された場合、前記記憶手段上のリストを参照し、当該機能メニューに対応する属性の値のうち、次の属性の値を前記属性表示領域に表示させ、前記送信手段は、当該次の属性の値を設定する操作信号を前記電子機器に送信することを特徴としている。
【００３２】
上記の構成によれば、各機能の属性の値を順にリストとして記憶しているので、ユーザの操作に基づいて機能に対応した属性値を順に変更し表示することができるので、ユーザは設定できる属性値を参照しながら、どの値に設定するかを決定することができる。
【００３３】
前記電子機器から入力される識別信号を識別する信号識別手段をさらに備え、前記メニュー表示手段は、前記信号識別手段で識別された前記識別信号に基づいて前記記憶手段上のリストから対応する属性の値を取得し、対応する前記機能メニューの属性表示領域に表示させることを特徴としている。
【００３４】
上記の構成によれば、電子機器入力された識別信号から、適切な属性の種類を判別し、種類に対応した属性の値をリストから取り出して表示することができる。具体例をあげれば、例えば、電子機器が現在再生している映像信号の種類を識別信号として取得し、モノラル・ステレオ・二ヶ国語放送などといった含まれる音声信号の種類を判別し、「モノラル」、「ステレオ」、「二ヶ国語放送」などの値を属性の値としてリストに設定することができるので、ユーザに対して適切な属性の値を提示することができる。
【００３５】
上記の入出力装置と、操作入力装置と、映像表示装置とを備えることによって、上述の入出力装置と同様の機能を備える映像表示システムを構成することができる。上記の構成によって、上述と同様の効果を奏することができる。
【００３６】
本発明の入出力制御方法は、上記の課題を解決するために、操作入力装置からの操作入力を受信し、前記操作入力に基づいてメニューを表示装置に表示させ、前記操作入力に基づいて電子機器を操作する操作信号を送信する入出力装置における入出力制御方法であって、前記操作入力装置上のボタンに対応する機能を識別するために文字または図形で示されたラベルをラベル表示領域に表示するステップと、前記ラベルに対応する機能の名称を名称表示領域に表示するステップと、前記ラベルに対応する機能の属性の現在値を属性表示領域に表示するステップと、同一の機能に属する前記ラベル表示領域と、前記名称表示領域と、前記属性表示領域とを対応づけて表示するステップとを備えている。
【００３７】
上記の構成によれば、ユーザが操作入力装置から操作入力を行い、操作入力に応じてメニューを表示装置に表示し、ユーザが表示されたメニューを参照しさらに操作入力行い、操作入力に基づいて電子機器を操作する操作信号を送信する構成において、操作入力装置上のボタンに対応するラベルと、ラベルに対応する機能の名称と、ラベルに対応する機能の属性の現在値とが同一の機能に属しているもの同士で対応付けられて表示されるので、ユーザは操作入力装置のボタンに対応する機能の名称および属性の現在値を一覧し容易に把握することができるので、ユーザによる操作入力が容易である入出力制御方法を提供することができる。
【００３８】
なお、上記入出力制御方法を、コンピュータの制御によりコンピュータ上で実行させることができる。さらに、上記入出力制御プログラムをコンピュータ読み取り可能な記録媒体に記憶させることにより、任意のコンピュータ上で実行させることができる。
【発明の効果】
【００３９】
以上のように、本発明の入出力装置は、操作入力装置上のボタンに対応するラベルと、ラベルに対応する機能の名称と、ラベルに対応する機能の属性の現在値とが同一の機能に属しているもの同士で対応付けられて表示されるので、ユーザは操作入力装置のボタンに対応する機能の名称および属性の現在値を一覧し容易に把握することができるので、ユーザによる操作入力が容易である入出力装置を提供することができるという効果を奏する。
【発明を実施するための最良の形態】
【００４０】
〔実施形態１〕
本発明の一実施の形態について図１〜図１２に基づいて説明すれば、以下のとおりである。なお、本実施形態では映像表示装置として、以下で説明する入出力装置の各部に加え、チューナ部、映像表示部、表示部などを備えたデジタルテレビを例に説明するが、これに限るものではない。従来使用されている外部のチューナや各種メディアに映像を記録するレコーダなどの電子機器に、以下で説明する各部の機能を備えた入出力装置を内蔵することで映像表示装置として機能させてもよい。
【００４１】
また、以下では、表示部としてディスプレイを内蔵する映像表示装置を用いて本発明について説明するが、本発明はそれに留まるものではなく、タッチパネルを表示装置および入力装置として用いてもよいし、映像を表示するディスプレイ以外の専用の表示部に操作メニューを表示するものであってもよいし、リモコン上に表示装置を備えていてもよい。
【００４２】
図１は、本実施形態における映像表示装置（電子機器）５０における各部の機能の概略を示したブロック図である。映像表示装置５０は、入出力装置（入出力装置）１０、チューナ部５２、映像表示部５４、および、表示部（表示装置）５６を備えている。入出力装置１０は、リモコン（操作入力装置）６０からの操作入力を受信し、映像表示装置５０の映像表示部５４に操作信号を出力する。リモコン６０は、ボタン部６２、判別部６４、メニューキー６６、電源キー６８、制御部７０、および、送信部７２を備えている。
【００４３】
まず、入出力装置１０について説明する。入出力装置１０は、メニュー表示部（メニュー表示手段）２０、受信部（受信手段）３２、入力処理部３４、信号識別部３８、制御部４０、記憶部（記憶手段）４２、および、送信部（送信手段）４４を備えている。メニュー表示部２０は、さらに、ラベル表示部（機能ラベル表示手段）２２、名称表示部（機能名称表示手段）２４、属性表示部（機能属性表示手段）２６、対応表示部（機能対応表示手段）２８、および、解説表示部（機能解説表示手段）３０を備えている。
【００４４】
ラベル表示部２２は、リモコン６０上のボタン部６２に対応する機能を識別するために文字または図形でしめされたラベルを表示部５６に表示させる。具体的には、図３に示すように、リモコン６０上のボタン部６２における１〜１２の数字が振られたボタンに対応する数字を、ラベル表示部２２は表示部５６に表示させる。リモコン６０の物理的構成については、詳細は後述する。
【００４５】
名称表示部２４は、ボタン部６２におけるそれぞれのボタンに対応した機能の名称を表示部５６に表示する。具体的には、図３に示すように、「オフタイマー」、「ＡＶポジション」、「画面サイズ」、「テレビ／ラジオ／データ」、「音声切替」、「字幕」、「映像切替」、「明るさセンサー」、「ドルビーバーチャル」、「ゴーストリダクション」、「無信号オフ」、および、「無操作オフ」といった各機能の名称を、名称表示部２４は表示部５６に表示させる。
【００４６】
属性表示部２６は、ボタン部６２におけるそれぞれのボタンに対応した機能の属性を表示部５６に表示する。具体的には、図５の表に示すように、「オフタイマー」の機能に対しては、「切」、「３０分」、「１時間００分」、「１時間３０分」、「２時間００分」、および、「２時間３０分」の各属性を切換して表示する。各機能に対応する属性については、詳細は後述する。
【００４７】
対応表示部２８は、上記の各機能のラベル、名称、および属性を対応付けて、表示部５６に表示させる。具体的には、各機能のラベル、名称、および属性を近傍に配置して表示させる。さらに、関連することをユーザにより明確に示すために、選択されている同一の機能に属するラベル、名称、および属性値に移動した場合、同期をとってハイライト処理や点滅処理などの強調表示を行う。
【００４８】
解説表示部３０は、図９のように、現在選択されている機能についての詳細な解説を、表示部５６に表示させる。メニュー表示部２０に含まれる各部による具体的な操作メニューの表示方法について、詳細は後述する。
【００４９】
受信部３２は、リモコン６０から出力された操作入力を受信し、入力処理部に入力する。入力処理部３４は、受信部３２から受け取った操作入力を処理し、リモコン６０上のいずれのボタンが押され、また、離されたかを判断して、制御部４０に入力する。
【００５０】
信号識別部３８は、映像表示部５４から出力されている映像信号に含まれる情報、例えば、モノラル音声、ステレオ音声、二ヶ国語音声といった音声の種類や、動画フォーマットの種類や、サンプリングレートや、インデックス情報などといった映像に付加された情報を識別するための識別信号を受け取り、内容を識別して制御部４０に入力する。
【００５１】
制御部４０は、入力処理部３４によって判断された操作入力に基づいて、メニュー表示部２０に画面表示を変更させるとともに、送信部４８に操作入力に基づく操作信号を送信させる。具体的には、制御部４０は、記憶部４６を参照して、各機能の現在の属性を判断し、属性を変更する操作だった場合、メニュー表示部２０に属性の変更を反映して表示させ、送信部４８に属性の値を設定する操作信号を送信するように指示する。また、制御部４０は、信号識別部３８からの識別信号を受信し、記憶部４６を参照して識別信号に対応する属性の値をメニュー表示部２０に表示させ、識別信号に対応する属性の値を設定する操作信号を送信させる。
【００５２】
記憶部４６には、各機能がもつ属性の値を記録したテーブルや、現在の属性などの情報が記録されている。制御部４０は、記憶部４６を参照し、必要に応じて更新する。
【００５３】
送信部４８は、制御部４０からの指示に基づいて映像表示部５４に操作信号を出力する。具体的には、各機能に対応する属性の値を設定する操作信号を出力する。なお、上記の操作信号には、その他の操作、例えば、映像の再生・停止・録画・編集や、チャンネルの選択や、音量の変更や、映像の切換などといった映像表示装置を操作する操作信号を出力してもよい。上記の記憶部４６に記憶されている各機能が持つ属性の値を設定する操作信号を送信できれば、その他の操作信号を併せて送信してもよい。
【００５４】
次に、映像表示装置５０の映像の受信および再生に関わる各部の説明を行う。チューナ部５２は、放送信号を選択して受信する。具体的には、地上波アナログ放送や、地上波デジタル放送や、ＢＳ／ＣＳデジタル放送などといった放送信号を選択して受信する。
【００５５】
映像表示部５４は、チューナ部５２が受信した放送信号をデコードし、音声や画像などを含む映像信号として再生する。また、映像表示部５４は、入出力装置１０の送信部４８からの操作信号に基づいて映像を再生し、表示部５６に表示させるとともに、再生した映像信号の内容を示す識別信号を信号識別部３８に出力する。なお、映像表示部５４が映像の種類を識別信号として出力してもよいし、表示部５６に出力する映像信号と同じ信号を信号識別部３８に出力し、信号識別部３８が信号を解析して信号の種類を識別してもよい。
【００５６】
表示部５６は、映像表示部５４からの映像信号および入出力装置１０のメニュー表示部２０からの表示信号の入力を受けて、それぞれが出力される。表示部５６は、具体例をあげれば、例えば、液晶や有機ＥＬ（Electro Luminescence）などで構成された画像表示用の素子やＣＲＴ（Cathode Ray Tube）などの表示用デバイスで構成される。表示用デバイスの種類は特に限定されない。表示部５６は、映像表示装置５０の内部に含まれていてもよいし、外部の表示用デバイスに映像信号を出力するものであってもよい。
【００５７】
次に、リモコン６０の各機能部について、詳細を説明する。リモコン６０の物理的構成については、詳細は後述する。リモコン６０は、ボタン部６２、判別部６４、メニューキー６６、電源キー６８、制御部７０、および、送信部７２を備えている。
【００５８】
ボタン部６２は、スイッチを含む電子回路によって構成された入力デバイスで、オンまたはオフの信号が入力される。具体的には、例えば、リモコン６０の筐体上に配置されたプラスチックや金属などによるボタンと、機械式または電子的なスイッチ回路とが組み合わせられて構成される。ユーザはボタンを押すことでボタン部６２を介して入力を行う。
【００５９】
判別部６４は、ボタン部６２のうちどの数字ボタンが押されたかを判断し、制御部７０に出力する。さらに、判別部６４は、例えば、一定時間ボタンを押し続ける、ボタンを押し続けた後にボタンを離す、連続して複数回ボタンを押す、複数のボタンを同時に押すなどといったボタン操作から特定のコマンド入力を判別し、制御部７０に出力してもよい。
【００６０】
メニューキー６６は、メニューに関する特殊な動作コマンドと関連付けられた、ボタン部６２に含まれるボタンとは別のスイッチである。メニューキー６６の物理的構成は、ボタン部６２と同様のもので構わないが、ボタン部６２とは別のものであることをユーザが識別できるようなデザインとなっていることが望ましい。ユーザは、メニューキー６６を押すことで、例えば、メニュー画面を表示する、メニュー画面に表示した機能を決定するといったボタン部６２とは別のコマンドの入力ができる。
【００６１】
電源キー６８は、映像表示装置５０の電源操作と関連づけられた、ボタン部６２に含まれるボタンとは別のスイッチである。電源キー６８の物理的構成は、ボタン部６２と同様のもので構わないが、ボタン部６２およびメニューキー６６とは別のものであることをユーザが識別できるようなデザインとなっていることが望ましい。ユーザは、電源キー６８を押すことで、例えば、映像表示装置５０の電源を入れる、電源を切るなどの電源操作機能を決定することできる。
【００６２】
制御部７０は、判別部６４で判別されたボタン部６２、メニューキー６６、および、電源キー６８からの入力操作を操作入力として受信し、送信部７２を介して映像表示装置５０に送信する。送信部７２は、制御部７０から操作入力を送信する指示を受け取ると、映像表示装置５０上にある入出力装置１０の受信部３２に操作入力を送信する。
【００６３】
次に、図２を参照して、各機能の属性の値を表示する手順について説明する。図２は、制御部４０で行われる処理をより詳細に示すための機能ブロック図である。図２では、図１で示した各部に加え、制御部４０は、入力判定部４１、入力比較部４２、属性取得部４３、および、属性設定部４４を備えている。
【００６４】
リモコン６０の送信部７２から送信された操作入力は、入出力装置１０内の受信部３２によって受信される。受信された操作入力は、信号処理されて制御部４１の入力判定部に入力される。入力判定部４１は、入力された操作入力がボタン部６４の数字ボタンによるものか、または、それ以外のメニューキー６６や電源キー６８によるものであるかの判定を行う。
【００６５】
入力比較部４２は、記憶部４６に記憶されている一つ前に入力された各機能に対応するボタン部６２上のボタンと、今回入力された入力との比較を行う。属性設定部４４は、記憶部４６に記憶されている属性テーブルから、入力されたボタンに対応する機能の属性の取得を行う。
【００６６】
属性設定部４４は、記憶部４６から取得した属性テーブルに基づいて、設定する属性の値を決定し、送信部４８に決定した属性の値を設定する操作信号を送信させると共に、決定した属性の値を表示部５６に表示させるようにメニュー表示部２０に指示を出す。具体的には、属性設定部４４は、属性テーブルから取得した機能の属性の値に対応する変数のインクリメント処理を行い、インクリメントした変数に対応する属性の値を設定する操作信号を送信部４８に送信させると共に、インクリメントした変数に対応する属性の値をメニュー表示部２０に表示させる。
【００６７】
メニュー表示部２０は、属性決定部４４による属性の値の決定に従って、属性の値を更新したメニュー画面を表示部５６に表示させる表示信号を送信する。映像表示部５４は、送信部４８から受信した操作信号に基づいて映像を再生し、表示部５６に映像を出力する処理を行う。表示部５６は、メニュー表示部２０からの表示信号を受信して、メニュー画面を表示する。
【００６８】
次に、図３を参照して、メニュー画面１２０およびリモコン６０上の各ボタンの対応関係について説明を行う。リモコン６０は、ボタン部６２、メニューキー６６、および、電源キー６８を備えている。ボタン部６２は、ここでは１２個のボタンを備え、１〜１２の数字がラベルとして各ボタンの上に書き込まれている。ボタン６２ａは、ボタン部６２に含まれるボタンの一つで、ラベルとして数字の１がボタンの上に書き込まれている。以下、２〜１２のボタンについても同様である。
【００６９】
電源キー６８で映像表示装置５０の電源をＯＮ／ＯＦＦし、そのままボタン部６２を押すと数字に対応したチャンネルが選局できる。メニューキー６６を押してからボタン部６２を押すとボタン部６２に対応づけた機能を実行する。記憶部４６には、リモコン６０のボタン部６２と対応づけた機能と変数と属性の値とを記録したテーブルが格納されている。
【００７０】
メニュー画面１２０は、リモコン６０上の各ボタンに対応するラベル、機能名称、および、機能の属性をそれぞれ示している。ここでは、メニュー画面１２０は、１〜１２のボタンに対応するラベル表示領域１２２ａ、機能名称表示領域１２４ａ、および、属性表示領域１２６ａを含んでいる。
【００７１】
ラベル表示領域１１２ａは、ボタン２２ａに書き込まれた数字の１に対応するラベルを表示する領域で、画像によってボタン２２ａを仮想的に示している。機能名称表示領域１２４ａは、ボタン２２ａに割り当てられた機能の名称を表示する領域で、文字によって「オフタイマー」機能の名称が表示されている。属性表示領域１２６ａは、「オフタイマー」機能の現在の属性値を表示するための領域で、ここでは「切」という属性値が表示されている。制御部４０は図５の機能の属性テーブルを用いて、該当する機能の属性の現在値読み取り、メニュー画面１２０の属性表示領域１２６ａ内に表示する。以下、２〜１２の表示領域についても同様である。
【００７２】
ユーザによってボタン２２ａが押された場合、制御部４０によって記憶部４６に記録されている属性テーブルが参照され、次の属性の値が決定され、次の属性の値を設定する操作信号を送信するとともに、次の属性の値を属性表示領域１２６ａに表示する表示信号が送信される。以下、ボタン部６２が押された場合の処理について、図４〜図１２を参照して詳細を説明する。
【００７３】
図４は、各機能に対応する属性の値を更新する手順を示すフロー図である。図５〜図８は、上記の入出力装置の記憶部に記憶される機能と属性が示す値のリストとの対応を示すテーブルの一例を示す図である。図９〜図１２は、上記の映像表示システムにおいて機能を選択し、属性が示す値を切換するメニューの表示内容を示す概略図である。
【００７４】
以下、図４、図５、および図９を参照して、機能「オフタイマー」の属性の値を「３０分」に切換するまでの処理手順を例にあげて、属性の値を更新する手順の一例を説明する。
【００７５】
図９に機能「オフタイマー」の属性の値の表示例を示す。図９（ａ）は、属性テーブルの変数が「１」で、その属性の「切」を表示している。
【００７６】
ユーザによってリモコン６０のメニューキー６６が押されると（Ｓ１０１）、表示部５６にリモコンのボタン部６２と同じ配置にマッピングしたメニュー画面１２０を表示し（Ｓ１０２）、各機能の属性の現在値を表示する（Ｓ１０３）。
【００７７】
ユーザがリモコン６０の「数字１」ボタンを押すと、制御部４０は入力判定部４１で入力されたボタンがボタン部６２の数字ボタンであるか判定を行う（Ｓ１０４でＹＥＳ）。その後、入力比較部４２は、今回入力されたボタンが、前回入力されたボタンと異なるか判定を行い（Ｓ１０５でＮＯ）、選択された「オフタイマー」の機能が明示的にわかるように図９に示すように、数字および機能メニューの表示枠の色を変えるなどの強調表示を行う（Ｓ１０６）。
【００７８】
このとき、別の強調表示方法として、輝度を変えたり、点滅させたりすることによって強調して表示するようにしてもよい。また、選択された機能についての説明を表示するようにしてもよい。
【００７９】
図９（ｂ）に選択された機能についての説明を表示した場合の例を示す。ユーザがさらに「数字１」ボタンを押すと、制御部４０は入力判定部４１で入力されたボタンがボタン部６２の数字ボタンであるか判定を行い（Ｓ１０４でＹＥＳ）、入力比較部４２で前回入力された「数字１」ボタンと同じか判定を行う（Ｓ１０５でＹＥＳ）。その後、機能「オフタイマー」の変数をインクリメントして「２」に変更し、属性取得部４３が対応する属性の値「３０分」を取得し、メニュー表示部２０に表示させる（Ｓ１０７）。
【００８０】
なお、図９（ｂ）における「オフタイマー」の属性の値の表示が「２９分」になっているが、これは、ユーザが図９（ａ）で「３０分」に設定した後、タイマーが時間の計測を開始し、図９（ｂ）において１分経過したことによるものである。なお、数字ボタンを押して機能を実行する代わりに、強調表示された属性のときにメニューボタン６６を押すことで機能を実行するようにしてもよい。
【００８１】
図９（ｃ）にこのときのメニュー画面１２０を示す。その後、制御部４０は属性設定部４４でオフタイマー機能を実行する関数に変数「２」を与えて呼び出すことで、機能「オフタイマー」の属性の値を「３０分」に設定する操作信号を送信する（Ｓ１０８）。以上のようにして、機能「オフタイマー」の属性の値を切換して、設定することができる。なお、図５に示す「オフタイマー」の変数は「６」までであるが、変数が「６」のとき、つまり属性の値が「２時間３０分」のときにユーザがリモコン６０の「数字１」ボタンを押して属性を変更すると、変数は「１」に戻り、属性の値は「切」になる。
【００８２】
以下、図４、図５、および図１０を参照して、ユーザがリモコン６０の「数字２」のボタンを押して、機能「ＡＶポジション」の属性の値を「ゲーム」に切換するまでの処理手順を例にあげて、属性の値を更新する手順の一例を説明する。
【００８３】
ユーザがリモコン６０の「数字２」を押すと、制御部４０は、入力判定部４１で入力されたボタンがボタン部６２の数字ボタンであるか判定を行う（Ｓ１０４でＹＥＳ）。次に、入力比較部４２は、前回入力された数字「１」ボタンと今回入力されたボタンとが異なるか判定を行う（Ｓ１０５でＮＯ）。Ｓ１０６において、メニュー表示部２０の対応表示部２８は、強調表示を機能「ＡＶポジション」に移動する。
【００８４】
図１０（ａ）にこのときのメニュー画面１２０を示す。このとき、選択された機能についての説明を表示するようにしてもよい（図１０（ｂ）を参照）。ユーザがさらに数字「２」ボタンを押すと、制御部４０は入力判定部４１で入力されたボタンがボタン部６２の数字ボタンであるか判定を行う（Ｓ１０４でＹＥＳ）。さらに、制御部４０は、入力比較部４２で前回入力された「数字２」ボタンと同じであるか判定を行う（Ｓ１０５でＹＥＳ）。その後、制御部４０は、機能「ＡＶポジション」の変数をインクリメントして「２」に変更し、属性取得部４３に図５のテーブルを参照して「ＡＶポジション」の属性の値として「映画」を取得する。最後に、メニュー表示部２０は、選択した属性の値を表示部５６に表示させる（Ｓ１０７）。
【００８５】
図１０（ｃ）にこのときのメニュー画面１２０を示す。そして、制御部４０は属性設定部４４で「ＡＶポジション」機能を実行する関数に変数「２」を与えて呼び出すことで、ＡＶポジションを映画に設定して実行する（Ｓ１０８）。ユーザがさらに「数字２」ボタンを押すと、制御部４０は入力判定部４１で入力されたボタンがボタン部６２の数字ボタンか判定を行う（Ｓ１０４でＹＥＳ）。次に、入力比較部４２で前回入力された数字２ボタンと同じ判定を行い（Ｓ１０５でＹＥＳ）、「ＡＶポジション」の変数をインクリメントして「３」に変更する。その後、属性取得部４３が図５のテーブルを用いて「ＡＶポジション」の属性の値「ゲーム」を取得し、メニュー表示部２０に表示する（Ｓ１０７）。
【００８６】
図１０（ｄ）にこのときのメニュー画面１２０を示す。そして、制御部４０は属性設定部４４で機能「ＡＶポジション」を実行する関数に変数「３」を与えて呼び出すことで、機能「ＡＶポジション」の属性の値を「ゲーム」に設定して実行する（Ｓ１０８）。以上のようにして、機能「オフタイマー」の設定に続けて機能「ＡＶポジション」の設定を切換することができる。なお、図５に示す機能「ＡＶポジション」の変数は４までであるが、変数が「４」のとき、つまり属性の値が「ダイナミック」のときにユーザがリモコン６０の「数字２」ボタンを押して属性を変更すると、変数は「１」に戻り、属性の値は「標準」になる。
【００８７】
属性テーブルの一例を図５〜図８に示す。図５において、数字ボタンに対応づけた機能は、「１：オフタイマー」「２：ＡＶポジション」「３：画面サイズ」「４：テレビ／ラジオ／データ」「５：音声切換」「６：字幕」「７：映像切換」「８：明るさセンサー」「９：ドルビーバーチャル」「１０：ゴーストリダクション」「１１：無信号オフ」「１２：無操作オフ」である。これらの機能の属性は変数を操作することで変更でき、例えば「オフタイマー」機能の変数の値を「１」からインクリメントして「２」にすると、機能「オフタイマー」の属性の値を「切」から「３０分」に変更することができる。
【００８８】
また、図５の属性テーブルは、視聴中の番組の内容により異なるようにしてもよい。具体例をあげれば、例えば、「音声切換」機能において、二ヶ国語放送の番組を視聴中の場合は、図６（ａ）のように、「主音声」、「副音声」、「主／副音声」の属性を用意し、ステレオ放送の番組を視聴中の場合は、図６（ｂ）のように、「ステレオ」、「モノラル」の属性を用意し、マルチ音声放送の場合は、図６（ｃ）のように、「音声１」〜「音声８」の属性を用意するようにしてもよい。
【００８９】
また、「字幕」機能において、字幕放送でない番組を視聴中の場合は、図７（ａ）のように、「なし」の属性を用意し、字幕放送の番組を視聴中の場合は、図７（ｂ）のように、「切」、「入」の属性を用意し、複数の字幕放送の番組を視聴中の場合は、図７（ｃ）のように、「字幕１」、「字幕２」の属性の値を用意するようにしてもよい。
【００９０】
また、「映像切換」機能において、複数の映像がない放送の番組を視聴中の場合は、図８（ａ）のように、「なし」の属性を用意し、複数の映像がある放送の番組を視聴中の場合は、図８（ｂ）のように、「映像１」〜「映像４」の属性の値を用意してもよい。
【００９１】
上記属性テーブルを用いて、制御部４０は、リモコン６０上におけるボタン部６２の数字ボタンの入力に応じた機能を実行する関数を呼び出し、変数の値を設定して機能を実行させる操作信号を送信する。
【００９２】
〔実施形態２〕
本実施形態の映像表示システムでは、上述の実施形態において示されるシステムに比べて、図４における機能の選択処理とが、図１３によって示されるフロー図に対応する処理の流れとなっている点が異なり、その他の構成は同様である。
【００９３】
なお、上記実施形態で説明した構成と同様の機能を有する構成には同一の符号を付して、その説明を省略する。上記構成において、操作入力装置上のボタンを押して、機能を選択する際の処理の流れを、図１３に基づき説明すると、以下の通りである。
【００９４】
上記の例では、ユーザが同じボタン部６２を２度押すことで機能を実行するようにしているが、１度だけ押すことで機能を実行することもできる。この場合の処理手順の一例を図１３のフローチャートを用いて説明する。
【００９５】
ユーザがリモコン６０のメニューキー６６を押すと（Ｓ２０１）、表示部５６に、図３に示すメニュー画面１２０を表示し（Ｓ２０２）、図５のテーブルを用いて、各機能の現在の属性を読み取り、メニュー画面１２０上に表示する（Ｓ２０３）。次にユーザがリモコン６０の「数字１」ボタンを押すと、制御部４０は入力判定部４１で入力されたボタンがボタン部６２の数字ボタンか判定を行い（Ｓ２０４でＹＥＳ）、選択された機能に強調表示を行う（Ｓ２０５）。
【００９６】
その後、オフタイマーの変数をインクリメントして「２」に変更し、図９（ｂ）のように、属性取得部４３が図５のテーブルを用いてオフタイマーの属性の「３０分」を取得し、メニュー表示部２０に表示する（Ｓ２０６）。そして、制御部４０は属性設定部４４で「オフタイマー」機能を実行する関数に変数「２」を与えて呼び出すことで、機能「オフタイマー」の属性の値を「３０分」に設定する操作信号を送信する（Ｓ２０７）。以上のようにして、ボタン部６２を１度だけ押すことで属性の値を切換して機能を実行することができる。
【００９７】
また、別の機能を実行する場合も同様に行うことができる。例えば、図９（ｂ）の属性でユーザがリモコン６０の数字２ボタンを押すと、制御部４０は入力判定部４１で入力されたボタンがボタン部６２の数字ボタンか判定を行い（Ｓ２０４でＹＥＳ）、図１０（ａ）のように強調を機能「ＡＶポジション」のところに移動し（Ｓ２０５）、機能「ＡＶポジション」の変数の値をインクリメントして「２」に変更し、属性取得部４３が図５のテーブルを用いて機能「ＡＶポジション」の属性の値「映画」を取得し、メニュー表示部２０に表示する（Ｓ２０６）。
【００９８】
そして、制御部４０は属性設定部４４で「ＡＶポジション」機能を実行する関数に変数「２」を与えて呼び出すことで、機能「ＡＶポジション」の属性の値を「映画」に設定する操作信号を送信する（Ｓ２０７）。以上のようにして、ボタン部６２を１度だけ押すことで別の機能の属性を切換して機能を実行することができる。
【００９９】
本実施形態において、制御部４０は図２に示す入力比較部４２を除く要素で構成可能である。
【０１００】
〔実施形態３〕
本実施形態の映像表示システムでは、上述の実施形態において示されるシステムに比べて、図４における機能の選択処理とが、図１４によって示されるフロー図に対応する処理の流れとなっている点が異なり、その他の構成は同様である。
【０１０１】
なお、上記実施形態で説明した構成と同様の機能を有する構成には同一の符号を付して、その説明を省略する。上記構成において、操作入力装置上のボタンを押して、機能を選択する際の処理の流れを、図１４に基づき説明すると、以下の通りである。
【０１０２】
次に、ボタン部６２で選択した機能に限ってメニュー画面１２０に属性を表示する処理手順の一例を図１４のフローチャートを用いて説明する。選択した機能に限って表示することで、ユーザが操作しようとしている機能を明示的に分りやすくする。ユーザがリモコン６０のメニューキー６６を押すと（Ｓ３０１）、表示部５６にメニュー画面１２０を表示する（Ｓ３０２）。
【０１０３】
図１９にこのときのメニュー画面１２０を示す。メニュー画面１２０は、数字を示したラベル、機能名称、機能の属性の現在値を組として構成されており、ボタン部６２で機能が選択されていない場合は、ボタン部６２に割り当てられたラベルと機能名のみを表示する。
【０１０４】
次にユーザがリモコン６０の「数字１」ボタンを押すと、制御部４０は入力判定部４１で入力されたボタンがボタン部６２の数字ボタンか判定を行い（Ｓ３０３でＹＥＳ）、入力比較部４２で前回入力されたメニューキー６６と異なるか判定を行い（Ｓ３０４でＮＯ）、選択された機能に強調表示を行い（Ｓ３０５）、属性取得部４３が図５のテーブルを用いて機能「オフタイマー」の属性の値「切」を取得し、メニュー表示部２０に表示する（Ｓ３０６）。
【０１０５】
また、選択された機能についての説明を表示するようにしてもよい。図２１に選択された機能についての説明を表示した場合の例を示す。ユーザがさらに「数字１」ボタンを押すと、制御部４０は入力判定部４１で入力されたボタンがボタン部６２の数字ボタンか判定を行い（Ｓ３０３でＹＥＳ）、入力比較部４２で前回入力された「数字１」ボタンと同じ判定を行い（Ｓ３０４でＹＥＳ）、機能「オフタイマー」の変数をインクリメントして「２」に変更し、属性取得部４３がその属性の「３０分」を取得し、メニュー表示部２０に表示する（Ｓ３０７）。
【０１０６】
図１１（ｄ）にこのときのメニュー画面１２０を示す。そして、制御部４０は属性設定部４４で「オフタイマー」機能を実行する関数に「変数２」を与えて呼び出すことで、「オフタイマー」を「３０分」に設定して実行する（Ｓ３０８）。以上のようにして、機能「オフタイマー」の属性の値を設定することができる。
【０１０７】
また、別の機能を実行する場合についても同様に行うことができ、例えば、図２２の属性でユーザがリモコン６０の数字２ボタンを押すと、制御部４０は入力判定部４１で入力されたボタンがボタン部６２の数字ボタンか判定を行い（Ｓ３０４でＹＥＳ）、入力比較部４２で前回入力された「数字１」ボタンと同じ判定を行い（Ｓ３０５でＮＯ）、強調を機能「ＡＶポジション」のところに移動し（Ｓ３０６）、属性取得部４３が図５のテーブルを用いて機能「ＡＶポジション」の属性の値「標準」を取得し、メニュー表示部２０に表示する（Ｓ３０７）。
【０１０８】
図１１（ｄ）にこのときのメニュー画面１２０を示す。このとき、選択された機能についての説明を表示するようにしてもよい。図１２（ｂ）に選択された機能についての説明を表示した場合の例を示す。ユーザがさらに「数字２」ボタンを押すと、制御部４０は入力判定部４１で入力されたボタンがボタン部６２の数字ボタンか判定を行い（Ｓ３０４でＹＥＳ）、入力比較部４２で前回入力された「数字２」ボタンと同じ判定を行い（Ｓ３０５でＹＥＳ）、「ＡＶポジション」の変数をインクリメントして「２」に変更し、属性取得部４３が図５のテーブルを用いて機能「ＡＶポジション」の属性の値「映画」を取得し、メニュー表示部２０に表示する（Ｓ３０７）。
【０１０９】
図１２（ｃ）にこのときのメニュー画面１２０を示す。そして、制御部４０は属性設定部４４で「ＡＶポジション」機能を実行する関数に変数「２」を与えて呼び出すことで、「ＡＶポジション」の属性の値を「映画」に設定して実行する（Ｓ３０８）。以上のようにして、オフタイマーの設定に続けてＡＶポジションの設定を切換することができる。
【０１１０】
なお、更にメニューキー６６を押すと、別の新たな機能を対応づけた機能メニューを表示し、ボタン部６２を入力することで新たな機能を実行できるようにしてもよいし、又は、メニュー画面１２０を終了するようにしてもよい。
【０１１１】
なお、上述の実施形態では、映像表示システム１が映像表示装置５０およびリモコン６０を備え、映像表示装置５０が入出力装置１０、チューナ部５２、映像表示部５４、および表示部５６を含む構成について説明したが、これに限るものではない。
【０１１２】
表示部５６を、例えば、液晶ディスプレイなどの外部の表示装置としてもよい。映像表示部５４を、例えば、ＤＶＤプレイヤーなどの外部の再生装置としてもよい。チューナ部５２を、例えば、ストリーミング放送によってインターネットを介して受信する放送受信形態としてもよい。入出力装置１０を、外部のＡＶアクセサリーとして各種電子機器やコンピュータ等の拡張スロットに装着する装置として構成してもよい。
【０１１３】
また、表示部５６を、外部の表示装置に表示するのではなく、映像表示装置５０の筐体上に設置された専用の小型ディスプレイに表示してもよいし、リモコン６０上に小型のディスプレイを搭載し、必要な表示信号を入出力装置１０内のメニュー表示部２０から受信する構成であってもよい。また、入出力装置１０を、リモコン６０の内部に内蔵してもよい。
【０１１４】
図１５は、本実施の形態に係る映像表示装置５０のハードウェア構成の一例を示すブロック図である。以下、各部について説明する。
【０１１５】
アンテナ２００で受信された放送電波は映像表示装置５０の受信部３２に入力される。ここで放送波は衛星放送や地上波などであり、ケーブルテレビのＳＴＢ（Set Top Box）２１０との接続による有線放送であってもよい。受信部３２はチューナ８０と復調部８６で構成され、チューナ８０はユーザからの指示によりチャンネルの選局を行い、復調部８６に受信データを渡す。デジタル放送の場合、受信データはＭＰＥＧ２−ＴＳ（Transport Stream）である。
【０１１６】
ＭＰＥＧ２−ＴＳのデータは、ＭＰＥＧ２方式で圧縮された放送番組の映像及び音声の情報と字幕データの情報とを持つＡＶデータと、ＥＰＧ（電子番組表）の番組情報とが多重化されて構成されている。ＴＳデコーダー９４は、ＭＰＥＧ２−ＴＳのデータを解釈し、ＡＶデータと番組情報を分離し、ＡＶデータをＡＶデコーダー９６に送り、番組情報を制御部４０に送る。
【０１１７】
ＡＶデコーダー９６は、ＴＳデコーダー９４からＡＶデータを受け取ると、映像データと音声データに分離し、映像データに対してＭＰＥＧ２方式の伸張処理をして元の映像を再生し、音声データに対してはデコードして再生音声にする。このとき、ＡＶデコーダー９６は、作業データ用の書き込み可能なメモリとしてＲＡＭ８８を持っていてもよい。再生映像は、マルチプレクサ９８を介して表示部５６に表示出力され、再生音声は、音声出力部１０２に音声出力される。
【０１１８】
受信部３２は、映像表示装置５０をユーザが操作するため操作信号を受信するためのものであり、リモコン６０から送出された赤外線や無線の信号を受信するリモコン受信部の役割を含んでいる。制御部４０は、映像表示装置５０全体を統括制御するものである。また、制御部４０は、バス１００経由で転送されてくる番組情報に関する録画、録画予約、再生などの処理も行う。記憶部４６は、制御部４０の実行プログラムコードをロードしたり、実行プログラムの作業データを書き込んだりするために使用されるメモリであり、映像表示装置５０で使用されるデータを格納する。
【０１１９】
ＲＯＭ９０は、映像表示装置５０の電源投入時に実行する自己診断及び初期化プログラムや、ハードウェア操作用のコードを格納した読み出し専用メモリである。
【０１２０】
メニュー表示部２０は、表示部５６への文字表示機能（ＯＳＤ：On Screen Displayを含む）の情報を生成し、表示部５６に本発明の映像表示メニュー画面を表示し、画面上で機能の選定や実行が行えるようになっている。
【０１２１】
マルチプレクサ９８は、ＡＶデコーダー９６から出力された映像信号とメニュー表示部２０から出力された文字表示機能の情報とを合成して合成映像信号を出力し、表示部５６はマルチプレクサ９８から出力された合成映像信号を表示する。音声出力部１０２は、ＡＶデコーダー９６から出力された音声信号を出力する。
【０１２２】
以上のように、本発明の入出力装置１０は、リモコン６０からの操作入力を受信する受信部３２と、操作入力に基づいてメニューを表示部５６に表示させるメニュー表示部２０と、操作入力に基づいて映像表示部５４を操作する操作信号を送信する送信部４８とを備えた入出力装置１０であって、メニュー表示部２０は、リモコン６０上のボタン部６２に対応する機能を識別するために文字または図形で示されたラベルをラベル表示領域に表示するラベル表示部２２と、ラベルに対応する機能の名称を名称表示領域に表示する名称表示部２４と、ラベルに対応する機能の属性の現在値を属性表示領域に表示する属性表示部２６と、同一の機能に属するラベル表示領域と、名称表示領域と、属性表示領域とを対応づけて表示する対応表示部２８とを備えている。
【０１２３】
上記の構成によれば、ユーザがリモコン６０から操作入力を行い、操作入力に応じてメニューを表示部５６に表示し、ユーザが映像表示部５４に表示されたメニューを参照しさらに操作入力行い、操作入力に基づいて映像表示部５４を操作する操作信号を送信する構成において、リモコン６０上のボタン部６２に対応するラベルと、ラベルに対応する機能の名称と、ラベルに対応する機能の属性の現在値とが同一の機能に属しているもの同士で対応付けられて表示されるので、ユーザはリモコン６０のボタン部６２に対応する機能の名称および属性の現在値を一覧し容易に把握することができるので、ユーザによる操作入力が容易である入出力装置１０を提供することができる。
【０１２４】
また、本発明の入出力装置１０では、メニュー表示部２０は、同一の機能に属するラベル表示領域と、名称表示領域と、属性表示領域とを対応づけて機能メニューとし、２つ以上の機能メニューを並べて表示部５６に表示してもよい。
【０１２５】
上記の構成によれば、ラベルと、名称と、属性とを機能メニューとして対応付け、同一の機能に属する表示領域を対応付けた上で並べて表示部５６に表示するので、ユーザは複数の機能を一覧し容易に各機能の属性の現在値を把握した上で、所望の属性を変更する操作をリモコン６０で行うことができる。
【０１２６】
また、本発明の入出力装置１０では、リモコン６０上のボタン部６２が押された場合、受信した操作入力から押されたボタン部６２を識別し、ボタン部６２に対応する機能メニューが選択されたと判断する入力処理手段をさらに備えてもよい。
【０１２７】
上記の構成によれば、リモコン６０上のボタン部６２への入力から選択された機能を識別し、選択に応じて画面表示や操作信号の送信などの各種処理を行うことができる。
【０１２８】
また、本発明の入出力装置１０では、メニュー表示部２０は、非選択状態の機能メニューに含まれる属性表示領域を非表示状態とし、機能メニューが選択状態になった場合、当該機能メニューに含まれる属性表示領域を表示部５６に表示状態としてもよい。
【０１２９】
上記の構成によれば、非選択状態の機能メニューに含まれる属性表示領域を表示しないため、必要のない属性表示領域を隠すことができるので、表示部５６における機能メニューの一覧性が高まり、ユーザが機能の選択を行うことを容易にすることができる。
【０１３０】
また、本発明の入出力装置１０では、メニュー表示部２０は、機能メニューの解説を解説表示領域に表示する解説表示部３０をさらに備えてもよい。
【０１３１】
上記の構成によれば、状況に応じて機能メニューの解説を表示する領域を確保しているので、機能の詳細を解説することができるので、ユーザに分かりやすい入力インタフェースを表示部５６上に提供することができる。
【０１３２】
また、本発明の入出力装置１０では、メニュー表示部２０は、機能メニューが選択状態となった場合、機能メニューに対応する解説を解説表示領域に表示してもよい。
【０１３３】
上記の構成によれば、ユーザが機能メニューを選択した際に、対応する解説を表示するので、ユーザは解説を参考にしてリモコン６０の操作を決定することができるので、ユーザによる操作入力を手助けすることができる。
【０１３４】
また、本発明の入出力装置１０では、メニュー表示部２０は、機能メニューが選択状態となった場合、機能メニューを強調して表示してもよい。
【０１３５】
上記の構成によれば、選択状態となった機能メニューが対応付けられた状態で強調表示するので、機能メニューが選択されていること、および、機能メニュー内の各項目が関連していることをより明確にユーザに示すことができるので、ユーザは操作入力を行う際に機能メニューの認識を容易に行うことができる。
【０１３６】
また、本発明の入出力装置１０では、送信部４８は、機能メニューが選択状態となった場合、機能メニューに対応する機能を実行させる操作信号を映像表示部５４へ送信してもよい。
【０１３７】
上記の構成によれば、機能メニューが選択状態になった場合、すぐに機能メニューを実行するための操作信号を送信するので、すばやく操作を実行することができる操作入力をユーザに提供することができる。
【０１３８】
また、本発明の入出力装置１０では、送信部４８は、選択状態にある機能メニューに対応するリモコン６０上のボタン部６２がさらに押された場合、機能メニューに対応する機能を実行させる操作信号を映像表示部５４へ送信してもよい。
【０１３９】
上記の構成によれば、同じ機能が割り当てられたリモコン６０上のボタン部６２を２回以上連続して押すことによって、ボタン部６２に割り当てられた機能を実行する操作信号を送信するので、ユーザは割り当てられた機能の選択と実行とを簡易な操作で行うことができる。
【０１４０】
また、本発明の入出力装置１０では、送信部４８は、機能メニューが選択状態でリモコン６０上のメニューキー６６が押された場合、選択状態の機能メニューに対応する機能を実行する操作信号を映像表示部５４へ出力してもよい。
【０１４１】
上記の構成によれば、機能が割り当てられたボタン部６２を押すことによって機能を選択し、メニューキー６６を押すことによって機能を決定するので、選択操作および決定操作を別の入力を用いて行うので、ユーザは選択操作および決定操作を明確に区別することができる。
【０１４２】
また、本発明の入出力装置１０では、メニュー表示部２０は、機能メニューが選択状態でリモコン６０上のメニューキーが押された場合、現在選択状態の機能メニューとは別の機能メニューを選択状態としてもよい。
【０１４３】
上記の構成によれば、リモコン６０上のメニューキー６６を押すごとに別の機能メニューを選択状態とするので、ユーザはメニューキー６６を繰り返し押すことで所望の機能を選択できるので、少ない動作で機能の選択を行うことができる。
【０１４４】
また、本発明の入出力装置１０では、機能メニューに対応する属性の値を順にリストとして記憶する記憶部４６をさらに備え、メニュー表示部２０は、選択状態の機能メニューに対応するリモコン６０上のボタン部６２が押された場合、記憶部４６上のリストを参照し、機能メニューに対応する属性の値のうち、次の属性の値を属性表示領域に表示させ、送信部４８は、次の属性の値を設定する操作信号を映像表示部５４に送信してもよい。
【０１４５】
上記の構成によれば、各機能の属性の値を順にリストとして記憶しているので、ユーザの操作に基づいて機能に対応した属性値を順に変更し表示することができるので、ユーザは設定できる属性値を参照しながら、どの値に設定するかを決定することができる。
【０１４６】
また、本発明の入出力装置１０では、映像表示部５４から入力される識別信号を識別する信号識別手段をさらに備え、メニュー表示部２０は、信号識別手段で識別された識別信号に基づいて記憶手段上のリストから対応する属性の値を取得し、対応する機能メニューの属性表示領域に表示させてもよい。
【０１４７】
上記の構成によれば、映像表示部５４入力された識別信号から、適切な属性の種類を判別し、種類に対応した属性の値をリストから取り出して表示することができる。
【０１４８】
上記の入出力装置１０と、リモコン６０と、映像表示装置５０とを備えることによって、映像表示システム１を構成することができる。上記の構成によって、上述と同様の効果を奏することができる。
【０１４９】
また、本発明の目的は、上述した機能を実現するソフトウェアである映像表示プログラム、すなわち、映像表示装置の制御プログラムのプログラムコード、すなわち、実行形式プログラム、中間コードプログラム、および、ソースプログラムをコンピュータで読み取り可能に記録した記録媒体を、システムあるいは装置に供給し、そのシステムあるいは装置のコンピュータ、または、制御部、ＭＰＵ（micro processing unit）、および、ＤＳＰ（digital signal processor）などが記録媒体に記録されているプログラムコードを読み出し実行することによっても、達成可能である。
【０１５０】
この場合、記録媒体から読み出されたプログラムコード自体が上述した機能を実現することになり、そのプログラムコードを記録した記録媒体は本発明を構成することになる。具体的には、映像表示装置５０のＲＯＭ００に格納された所定のプログラムを、映像表示装置５０の制御部４０などが実行することにより実現される。
【０１５１】
上記プログラムコードを供給するための記録媒体は、システムあるいは装置と分離可能に構成することができる。また、上記記録媒体は、プログラムコードを供給可能であるように固定的に担持する媒体であってもよい。そして、上記記録媒体は、記録したプログラムコードをコンピュータが直接読み取ることができるようにシステムあるいは装置に装着されるものであっても、図示しない外部記憶装置としてシステムあるいは装置に接続されたプログラム読み取り装置を介して読み取ることができるように装着されるものであってもよい。
【０１５２】
例えば、上記記録媒体としては、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５３】
また、上記プログラムコードは、コンピュータが記録媒体から読み出して直接実行できるように記録されていてもよいし、記録媒体から主記憶のプログラム記憶領域へ転送された後コンピュータが主記憶から読み出して実行できるように記録されていてもよい。
【０１５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５５】
以上のように、本発明に係る入出力装置１０よれば、ユーザに分かりやすくリモコン６０上のボタン部６２に対応するラベルと、ラベルに対応する機能の名称と、ラベルに対応する属性の現在値とが同一の機能に属しているもの同士で対応付けられて表示されるため、ユーザはボタン部６２に対応する各機能を容易に把握でき、操作入力が容易になるので、テレビ、テレビ機能付きＰＣ（Personal Computer）などの映像表示装置や、ビデオ、ＤＶＤ（digital versatile disk）レコーダ、ＨＤＤレコーダ、Ｂｌｕ−ｒａｙ  Ｄｉｓｃレコーダ、ＨＤ−ＤＶＤレコーダなどの録画再生装置に好適に利用できる。
【図面の簡単な説明】
【０１５６】
【図１】本発明の一実施形態を示すものであり、映像表示システムに含まれる操作入力装置、入出力装置、および、映像表示装置の各部の構成を示す機能ブロック図である。
【図２】上記の映像表示システムにおける制御部の詳細な構成を示す機能ブロック図である。
【図３】上記の映像表示システムにおける操作入力装置と、映像表示装置に表示されるメニュー画面との対応を示す概略図である。
【図４】上記の映像表示システムにおいて、操作入力に基づくメニュー画面の表示処理の流れを示すフロー図である。
【図５】上記の入出力装置の記憶部に記憶される機能と属性が示す値のリストとの対応を示すテーブルの一例を示す図である。
【図６】（ａ）〜（ｃ）は、上記の映像表示システムにおいて「音声切換」機能に割り当てられた属性が示す値のリストの一例を示す図である。
【図７】（ａ）〜（ｃ）は、上記の映像表示システムにおいて「字幕」機能に割り当てられた属性が示す値のリストの一例を示す図である。
【図８】（ａ）〜（ｃ）は、上記の映像表示システムにおいて「映像切換」機能に割り当てられた属性が示す値のリストの一例を示す図である。
【図９】（ａ）〜（ｃ）は、上記の映像表示システムにおいて「オフタイマー」機能を選択し、属性が示す値を切換するメニューの表示内容を示す概略図である。
【図１０】（ａ）〜（ｃ）は、上記の映像表示システムにおいて「ＡＶポジション」機能を選択し、属性が示す値を切換するメニューの表示内容を示す概略図である。
【図１１】（ａ）〜（ｃ）は、「オフタイマー」機能を選択し、属性が示す値を切換する別のメニューの表示内容を示す概略図である。
【図１２】（ａ）〜（ｃ）は、「ＡＶポジション」機能を選択し、属性が示す値を切換する別のメニューの表示内容を示す概略図である。
【図１３】上記の入出力装置において、機能の属性が示す値を変更し、操作信号を送信する処理の手順を示すフロー図である。
【図１４】上記の入出力装置において、機能の属性が示す値を変更し、操作信号を送信する処理の別の手順を示すフロー図である。
【図１５】本発明の映像表示システムのハードウェア構成を示す概念図である。
【符号の説明】
【０１５７】
１        映像表示システム
１０      入出力装置
２０      メニュー表示部（メニュー表示手段）
２２      ラベル表示部（ラベル表示手段）
２４      名称表示部（名称表示手段）
２６      属性表示部（属性表示手段）
２８      対応表示部（対応表示手段）
３０      解説表示部（解説表示手段）
３２      受信部（受信手段）
３４      入力処理部（入力処理手段）
３８      信号識別部（信号識別手段）
４０      制御部
４１      入力判定部
４２      入力比較部
４３      属性取得部
４４      属性設定部
４６      記憶部（記憶手段）
４８      送信部（送信手段）
５０      映像表示装置
５２      チューナ部
５４      映像表示部（電子機器）
５６      表示部（表示装置）
６０      リモコン（操作入力手段）
６２      ボタン部（ボタン）
６２ａ    ボタン
６４      判別部
６６      メニューキー
６８      電源キー
７０      制御部
７２      送信部
８０      ＢＳ／ＣＳデジタルチューナ
８２      アナログチューナ
８４      地上波デジタルチューナ
８６      復調部
８８      ＲＡＭ
９０      ＲＯＭ
９２      タイマー部
９４      ＴＳデコーダ
９６      ＡＶデコーダ
９８      マルチプレクサ
１００    バス
１０２    音声出力部
１２２ａ  ラベル表示領域
１２４ａ  名称表示領域
１２６ａ  属性表示領域
【図１】
2007300438.tif 000003
【図２】
2007300438.tif 000004
【図３】
2007300438.tif 000005
【図４】
2007300438.tif 000006
【図５】
2007300438.tif 000007
【図６】
2007300438.tif 000008
【図７】
2007300438.tif 000009
【図８】
2007300438.tif 000010
【図９】
2007300438.tif 000011
【図１０】
2007300438.tif 000012
【図１１】
2007300438.tif 000013
【図１２】
2007300438.tif 000014
【図１３】
2007300438.tif 000015
【図１４】
2007300438.tif 000016
【図１５】
2007300438.tif 000017